(57)【要約】【課題】光軸方向と直交する方向における装置本体の寸法を小型化すること。【解決手段】レンズホルダ（７）のＸ軸方向における一方側の外周及びＹ軸方向における一方側の外周には、ヨーク（１３）を挟んでそれぞれコイル（１４０１ａ、１４０１ｂ）が固定されると共に、コイル（１４０１ａ、１４０１ｂ）と対向して磁石（１１０１、１１０２）がそれぞれ配設され、磁石（１１０１、１１０２）を介して光軸方向に離間した状態でコイル（１２０１、１２０２）が対向配置されており、磁石（１１０１、１１０２）とコイル（１４０１ａ、１４０１ｂ）とでレンズホルダ（７）を移動する第１移動機構を構成し、磁石（１１０１、１１０２）とコイル（１２０１、１２０２）とで支持部材（６）を移動する第２移動機構を構成する。【選択図】図１
2014160195.tif 000002
【特許請求の範囲】
【請求項１】
レンズ体を保持可能なレンズホルダ及び前記レンズホルダを光軸方向に沿って移動させる第１移動機構を有する保持体と、前記保持体を光軸方向と直交し、かつ互いに直交する第１方向及び第２方向に移動させる第２移動機構とを具備し、前記第１移動機構は、前記レンズホルダの周囲に配置された第１コイル及び磁石を備えて構成されるレンズ駆動装置において、
前記レンズホルダの前記第１方向における一方側の外周及び前記第２方向における一方側の外周には、前記レンズホルダに設けられたヨークを挟んでそれぞれ前記第１コイルが固定されると共に、前記第１コイルと対向して前記磁石がそれぞれ配設され、前記磁石を介して光軸方向に離間した状態で第２コイルが対向配置されており、前記磁石と前記第２コイルが前記第２移動機構を構成していることを特徴とするレンズ駆動装置。
【請求項２】
前記第１コイルに通電していない初期状態において、前記磁石と前記ヨークとの間に作用する磁力によって前記レンズホルダが光軸方向における中立位置に保持されることを特徴とする請求項１記載のレンズ駆動装置。
【請求項３】
光軸方向における前記ヨークの寸法が対応する前記磁石の光軸方向における寸法以下の寸法に構成されていることを特徴とする請求項２記載のレンズ駆動装置。
【請求項４】
前記保持体は、前記磁石が設けられる支持部材を有し、前記レンズホルダと前記支持部材との間にはボールが配設されており、前記磁力によって、前記ボールが前記レンズホルダと前記支持部材との間に挟持されると共に、前記レンズホルダが前記支持部材に対して光軸方向に移動可能に構成されることを特徴とする請求項２又は請求項３記載のレンズ駆動装置。
【請求項５】
前記ボールは、前記レンズホルダの中央部を挟むように、当該レンズホルダの周方向に離間した２箇所に配設されることを特徴とずる請求項４記載のレンズ駆動装置。
【請求項６】
前記支持部材は、上面視にて矩形状を有し、前記ボールは、前記支持部材の対角に対応する位置に配設されることを特徴とする請求項５記載のレンズ駆動装置。
【請求項７】
前記ヨークが単一の部材で構成され、前記ヨークが前記レンズホルダに取り付けられると共に、当該ヨークにそれぞれの前記第１コイルの一端が接続されることを特徴とする請求項１から請求項６のいずれかに記載のレンズ駆動装置。
【請求項８】
前記保持体を移動可能に支持するサスペンションワイヤを備え、前記サスペンションワイヤは、導電性を有する金属材料で構成されると共に、当該サスペンションワイヤの一端が、前記支持部材に固定される導電性材料からなる金属部材を介して前記支持部材に接続されることを特徴とする請求項４から請求項６のいずれかに記載のレンズ駆動装置。
【請求項９】
前記支持部材には、非磁性の金属板材が埋設されており、前記保持体を前記第１方向に移動させるための１組の磁石が前記金属板材を挟んで光軸方向に並べて配設されると共に、前記保持体を前記第２方向に移動させるための他の１組の磁石が前記金属板材を挟んで光軸方向に並べて配設されることを特徴とする請求項４から請求項６のいずれかに記載のレンズ駆動装置。
【請求項１０】
前記第１コイルは、光軸方向に沿って延在する平板状に束ねられることを特徴とする請求項１から請求項９のいずれかに記載のレンズ駆動装置。
【発明の詳細な説明】
【技術分野】
【０００１】
本発明は、レンズ駆動装置に関し、特に携帯電話等に搭載される比較的小型のカメラにおける手ぶれ補正に好適なレンズ駆動装置に関する。
【背景技術】
【０００２】
近年、カメラ付き携帯電話等に搭載されるレンズ駆動装置においては、カメラの高性能、高機能化の要求に伴い、オートフォーカス機能のみならず手ぶれ補正機能をも具備することが求められている。手ぶれ補正機能を有するレンズ駆動装置としては、例えば、フォーカスコイル及びこのフォーカスコイルの外側に配置された永久磁石を備えるオートフォーカス用レンズ駆動装置全体を揺動可能に支持するサスペンションワイヤと、オートフォーカス用レンズ駆動装置の永久磁石と対向して配置された手振れ補正用コイルとを有する手振れ補正装置によって手ぶれを補正する構成などが提案されている（例えば、特許文献１参照）。
【先行技術文献】
【特許文献】
【０００３】
【特許文献１】特開２０１１−６５１４０号公報
【発明の概要】
【発明が解決しようとする課題】
【０００４】
しかしながら、上述したような構成においては、手振れ補正装置の筐体が矩形状を有し、その筐体に対応する四辺に永久磁石が配置されている。したがって、フォーカスコイルの外側に永久磁石を配置するスペースを確保しなければならず、光軸方向と直交する方向におけるレンズ駆動装置の寸法の小型化が困難であるという問題がある。
【０００５】
本発明は、かかる点に鑑みてなされたものであり、光軸方向と直交する方向における装置本体の寸法を小型化することができるレンズ駆動装置を提供することを目的とする。
【課題を解決するための手段】
【０００６】
本発明のレンズ駆動装置は、レンズ体を保持可能なレンズホルダ及び前記レンズホルダを光軸方向に沿って移動させる第１移動機構を有する保持体と、前記保持体を光軸方向と直交し、かつ互いに直交する第１方向及び第２方向に移動させる第２移動機構とを具備し、前記第１移動機構は、前記レンズホルダの周囲に配置された第１コイル及び磁石を備えて構成されるレンズ駆動装置において、前記レンズホルダの前記第１方向における一方側の外周及び前記第２方向における一方側の外周には、前記レンズホルダに設けられたヨークを挟んでそれぞれ前記第１コイルが固定されると共に、前記第１コイルと対向して前記磁石がそれぞれ配設され、前記磁石を介して光軸方向に離間した状態で第２コイルが対向配置されており、前記磁石と前記第２コイルが前記第２移動機構を構成していることを特徴とする。
【０００７】
上記レンズ駆動装置によれば、第１移動機構及び第２移動機構で磁石が兼用されると共に、これらの磁石がレンズホルダの第１方向及び第２方向の一方側の外周に配置されることから、レンズホルダを挟んで磁石が配置される場合のように、レンズホルダの両側に磁石を配置するスペースを確保する必要がない。これにより、光軸方向と直交する方向における装置本体の寸法を小型化することが可能となる。
【０００８】
上記レンズ駆動装置においては、前記第１コイルに通電していない初期状態において、前記磁石と前記ヨークとの間に作用する磁力によって前記レンズホルダが光軸方向における中立位置に保持されることが好ましい。この場合には、初期状態で磁石とヨークとの間に作用する磁力によってレンズホルダが光軸方向における中立位置に保持されることから、レンズホルダを光軸方向の一方側又は他方側の限界位置まで移動させる際の移動距離を短縮できるので、レンズホルダを移動させる際に必要となる電流量を低減することが可能となる。また、初期状態で磁石とヨークとの間に作用する磁力によってレンズホルダが光軸方向における中立位置に保持されることから、レンズホルダを中立位置に復帰するための特別な構成を必要としないので、装置本体を構成する部品点数を抑制することが可能となる。
【０００９】
特に、上記レンズ駆動装置においては、光軸方向における前記ヨークの寸法が対応する前記磁石の光軸方向における寸法以下の寸法に構成されていることが好ましい。この場合には、ヨークを基準にレンズホルダの位置決めを行うことにより、磁石から発生する磁界のうち、相対的に強い磁力が及ぶ範囲にヨークを配置できるので、高い精度でレンズホルダを光軸方向における中立位置に配置することが可能となる。
【００１０】
例えば、上記レンズ駆動装置において、前記保持体は、前記磁石が設けられる支持部材を有し、前記レンズホルダと前記支持部材との間にはボールが配設されており、前記磁力によって、前記ボールが前記レンズホルダと前記支持部材との間に挟持されると共に、前記レンズホルダが前記支持部材に対して光軸方向に移動可能に構成される。この場合には、支持部材との間に配設されたボールと接触した状態でレンズホルダが支持部材に対して光軸方向に移動可能に構成されることから、レンズホルダが光軸方向に移動する際の摩擦を低減できるので、レンズホルダを円滑に移動させることが可能となる。
【００１１】
特に、上記レンズ駆動装置において、前記ボールは、前記レンズホルダの中央部を挟むように、当該レンズホルダの周方向に離間した２箇所に配設されることが好ましい。この場合には、レンズホルダの中央部を挟んで離間した２箇所にボールが配設されることから、支持部材に対してレンズホルダを、その中央部を挟んで大きく離間した２箇所で支持できるので、安定性を確保しながらレンズホルダを光軸方向に移動させることが可能となる。
【００１２】
さらに、上記レンズ駆動装置において、前記支持部材は、上面視にて矩形状を有し、前記ボールは、前記支持部材の対角に対応する位置に配設されることが好ましい。この場合には、支持部材の対角に対応する位置にボールが配設されることから、デッドスペースとなり易い支持部材の隅部周辺を有効活用できるので、光軸方向と直交する方向における装置本体の寸法を小型化することが可能となる。
【００１３】
また、上記レンズ駆動装置においては、前記ヨークが単一の部材で構成され、前記ヨークが前記レンズホルダに取り付けられると共に、当該ヨークにそれぞれの前記第１コイルの一端が接続されることが好ましい。この場合には、レンズホルダに取り付けられるヨークが単一の部材で構成されると共に、それぞれの第１コイルの一端がヨークに接続されることから、双方の第１コイルに対する電力供給経路としてヨークを利用でき、簡単な構成で第１コイルに電力供給を行うことが可能となる。
【００１４】
また、上記レンズ駆動装置においては、前記保持体を移動可能に支持するサスペンションワイヤを備え、前記サスペンションワイヤは、導電性を有する金属材料で構成されると共に、当該サスペンションワイヤの一端が、前記支持部材に固定される導電性材料からなる金属部材を介して前記支持部材に接続される。この場合には、サスペンションワイヤ及びこれが接続される金属部材が導電性材料で構成されることから、これらを電力供給経路として利用できるので、特別な構成を必要とすることなく第１コイル等への電力供給を行うことが可能となる。
【００１５】
また、上記レンズ駆動装置において、前記支持部材には、非磁性の金属板材が埋設されており、前記保持体を前記第１方向に移動させるための１組の磁石が前記金属板材を挟んで光軸方向に並べて配設されると共に、前記保持体を前記第２方向に移動させるための他の１組の磁石が前記金属板材を挟んで光軸方向に並べて配設される。この場合には、保持体を第１方向、第２方向に移動させるためにそれぞれ１組の磁石が支持部材に設けられることから、保持体を移動させる磁力を確保でき、円滑に保持体を第１方向、第２方向に移動させることが可能となる。また、金属板材が埋設されて支持部材が構成されることから、支持部材に２組の磁石を保持するための強度を持たせると共に、支持部材の設計の自由度を確保できる。これにより、例えば、サスペンションワイヤの一端が支持部材に接続される場合においても、支持部材の寸法が大きくなるのを回避しながら、その接続部分を形成することが可能となる。
【００１６】
さらに、上記レンズ駆動装置において、前記第１コイルは、光軸方向に沿って延在する平板状に束ねられることが好ましい。この場合には、光軸方向に沿って延在する平板状に第１コイルが束ねられることから、第１コイルにおける光軸方向の直交する方向の寸法を低減できるので、光軸方向と直交する方向における装置本体の寸法を小型化することが可能となる。
【発明の効果】
【００１７】
本発明によれば、光軸方向と直交する方向における装置本体の寸法を小型化することが可能となる。
【図面の簡単な説明】
【００１８】
【図１】本発明の一実施の形態に係るレンズ駆動装置の分解斜視図である。
【図２】上記実施の形態に係るレンズ駆動装置が有する支持部材周辺の拡大図である。
【図３】上記実施の形態に係るレンズ駆動装置が有するレンズホルダ周辺の拡大図である。
【図４】上記レンズ駆動装置を組み立てた状態を上方側から示した斜視図である。
【図５】図４に示すレンズ駆動装置から上側ケースを取り除いた場合の斜視図である。
【図６】上記レンズ駆動装置を組み立てた状態を下方側から示した斜視図である。
【図７】上記実施の形態に係るレンズ駆動装置が有するヨークを通過する断面図である。
【図８】図４に示すレンズ駆動装置のＡ−Ａ線矢視断面図である。
【図９】図４に示すレンズ駆動装置のＢ−Ｂ線矢視断面図である。
【発明を実施するための形態】
【００１９】
以下、本発明の実施の形態について添付図面を参照して詳細に説明する。図１は、本発明の一実施の形態に係るレンズ駆動装置１の分解斜視図である。図２は、本実施の形態に係るレンズ駆動装置１が有する支持部材６周辺の拡大図である。図３は、本実施の形態に係るレンズ駆動装置１が有するレンズホルダ７周辺の拡大図である。なお、図１においては、レンズホルダ７の一部を簡略化している。
【００２０】
本実施の形態に係るレンズ駆動装置１は、図示しないレンズ体を保持可能なレンズホルダ７を光軸方向（図１に示すＺ方向）に移動させることで、カメラのピントを合わせるオートフォーカス機能を備える。また、レンズ駆動装置１は、レンズホルダ７の外周側に設けられた支持部材６を光軸方向と直交し、かつ互いに直交する方向（図１に示すＸ軸、Ｙ軸方向）に移動（微小移動）させることで、撮影光軸を一定に保つ手ぶれ補正機能を備える。
【００２１】
図１に示すように、レンズ駆動装置１は、装置本体の筐体の一部を構成する下側ケース２と、この下側ケース２の上面に重ねて配置される下側ＦＰＣ（フレキシブルプリント基板）３と、この下側ＦＰＣ３にサスペンションワイヤ４及び金属部材５を介して支持される支持部材６とを備える。また、レンズ駆動装置１は、図示しないレンズ体を保持するレンズホルダ７と、装置本体の筐体の一部を構成する上側ケース８と、この上側ケース８の天井面に重ねて配置される上側ＦＰＣ９とを備える。
【００２２】
下側ケース２は、例えば、絶縁性の樹脂材料を成形して構成され、概して平板形状を有している。下側ケース２は、矩形状を有しており、その四隅部には、サスペンションワイヤ４を下側ＦＰＣ３に固定するための４つの固定孔２０１ａ〜２０１ｄが形成されている。また、これらの固定孔２０１ａ〜２０１ｄの内側には、円形状の開口部２０２が形成されている。この開口部２０２は、レンズ駆動装置１が実装される基板上の撮像素子を収容する。開口部２０２は、固定孔２０１ｄ側に偏って形成されている。開口部２０２の外側であって、固定孔２０１ａと固定孔２０１ｂとの間の辺及び固定孔２０１ｂと固定孔２０１ｃとの間の辺の外縁部との間には、一対の貫通部２０３ａ、２０３ｂが設けられている。これらの貫通部２０３ａ、２０３ｂは、後述する磁気検出素子１００１ａ、１００１ｂを収容可能な寸法に設けられている。
【００２３】
下側ＦＰＣ３は、下側ケース２の上面に重ねられる矩形状部３０１と、この矩形状部３０１の一辺から外側に延出して設けられた延出部３０２とを有している。矩形状部３０１の四隅部には、サスペンションワイヤ４を貫通するための４つの貫通孔３０１ａ〜３０１ｄが形成されている。また、矩形状部３０１には、下側ケース２の開口部２０２に対応する位置に開口部３０３が形成されている。延出部３０２には、引き回しパターンと導通する図示しない外部接続端子が設けられる。延出部３０２の基端部周辺には、スリット３０４が形成されている。このスリット３０４は、後述する上側ＦＰＣ９の連結部９０１の先端が挿通され、下側ＦＰＣ３の引き回しパターンと上側ＦＰＣ９の引き回しパターンとを電気的に接続するために設けられている。なお、下側ＦＰＣ３は、下側ケース２２の上面に、両面テープや接着剤等により固定されている。
【００２４】
下側ＦＰＣ３の下面の所定位置には、一対の磁気検出素子１００１ａ、１００１ｂが実装される。これらの磁気検出素子１００１ａ、１００１ｂは、下側ＦＰＣ３が下側ケース２に重ねられた場合に、貫通部２０３ａ、２０３ｂに収容される位置に配置される。例えば、これらの磁気検出素子１００１ａ、１００１ｂは、ホール素子で構成される。詳細について後述するように、これらの磁気検出素子１００１ａ、１００１ｂは、支持部材６における図１に示すＸ軸方向、Ｙ軸方向の移動に伴う磁場の強度の変化を検出する。なお、図１に示すＸ軸方向、Ｙ軸方向は、それぞれ第１方向、第２方向を構成する。
【００２５】
サスペンションワイヤ４は、弾性を有すると共に導電性を有する金属材料からなり、４本のサスペンションワイヤ４０１ａ〜４０１ｄから構成される。一端部（下端部）が貫通孔３０１ａ〜３０１ｄを貫通して、下側ＦＰＣ３の下面（引き回しパターン）に半田付けされる。一方、サスペンションワイヤ４の他端部（上端部）は、後述する貫通孔５０１ａ、５０２ａ、５０３ａ、５０３ｂを貫通して金属板材５０１〜５０３の上面に半田付けされる。
【００２６】
金属部材５は、リン青銅などの導電性を有する金属板材に打ち抜き加工を施して形成される。金属部材５は、３つの金属板材５０１〜５０３から構成される。金属板材５０１、５０２には、それぞれサスペンションワイヤ４０１ａ、４０１ｂの上端部が貫通する貫通孔５０１ａ、５０２ａが形成されている。また、金属板材５０３には、サスペンションワイヤ４０１ｃ、４０１ｄの上端部が貫通する貫通孔５０３ａ、５０３ｂが形成されている。また、金属板材５０１〜５０３には、これらを支持部材６の上面に固定するための開口部が形成されている。
【００２７】
支持部材６は、例えば、絶縁性の樹脂材料で構成される本体部６０１に対して、非磁性材料からなる金属板材６０２を埋設して構成される。支持部材６は、本体部６０１及び金属板材６０２により、上面視にて概して矩形状を有する。本体部６０１は、上面視にて隣接する２辺に対応して設けられる側壁部６０３と、この側壁部６０３の隣接する２辺が交差する角部の対角に配置される保持部６０４とを有する。なお、図１に示す支持部材６においては、金属板材５０１〜５０３を固定するための部分が熱変形された状態について示している。図２においても同様である。
【００２８】
本体部６０１を構成する側壁部６０３の内壁には、円弧面６０３ａが設けられている。また、側壁部６０３の両端部周辺には、図２に示すように、後述するレンズホルダ７の係止片７０３、７０４及びボール１５０１、１５０２を収容する収容部６０５ａ、６０５ｂが設けられている（図７参照）。これらの収容部６０５ａ、６０５ｂは、側壁部６０３の端部にて支持部材６の内側に突出して設けられた突出片６０３ｂと、この突出片６０３ｂから離間する位置で支持部材６の内側に突出して設けられた突出片６０３ｃとで形成される空間で構成される。
【００２９】
本体部６０１に埋設される金属板材６０２は、支持部材６の光軸方向（図１に示すＺ軸方向）の中央近傍に配置されている。より具体的には、金属板材６０２は、側壁部６０３の両端部と保持部６０４とを連結するように配置されている。例えば、金属板材６０２は、インサート成形により本体部６０１に埋設される。金属板材６０２は、概してＬ字形状に構成され、その屈曲部分を保持部６０４により保持されることが好ましい。
【００３０】
なお、ここでは、単一の部材で金属板材６０２を構成する場合について説明しているが、一対の直線形状を有する部材で金属板材６０２を構成することも可能である。詳細について後述するように、本実施の形態に係るレンズ駆動装置１において、支持部材６には磁石１１０１、１１０２が固定されるため、一定以上の強度を確保すべく金属板材６０２を埋設している。しかしながら、一定以上の強度を確保できれば、支持部材６を樹脂材料により一体成形することも可能である。
【００３１】
なお、金属板材６０２は、図１に示すように、支持部材６から２箇所にて露出する。以下においては、説明の便宜上、支持部材６から露出する一方を金属部材６０２ａと呼び、他方を金属部材６０２ｂと呼ぶものとする。金属部材６０２ａの上面及び下面には、一対の磁石１１０１（１１０１ａ、１１０１ｂ）が固定され、金属部材６０２ｂの上面及び下面には、一対の磁石１１０２（１１０２ａ、１１０２ｂ）が固定される（図２参照）。なお、一対の磁石１１０１は、支持部材６をＸ軸方向（第１方向）に移動させるための１組の磁石を構成し、一対の磁石１１０２は、支持部材６をＹ軸方向（第２方向）に移動させるための他の１組の磁石を構成する。
【００３２】
これらの磁石１１０１、１１０２は、概して角柱形状を有している。磁石１１０１ａ、１１０２ａの下面が、それぞれ金属部材６０２ａ、６０２ｂの上面に固定される。一方、磁石１１０１ｂ、１１０２ｂの上面が、それぞれ金属部材６０２ａ、６０２ｂの下面に固定される。これらの磁石１１０１、１１０２は、例えば、接着剤等によりそれぞれ金属部材６０２ａ、６０２ｂに接着される。
【００３３】
これらの磁石１１０１、１１０２にそれぞれ対向してコイル１２０１、１２０２が配置されている。これらのコイル１２０１、１２０２は、第２コイルを構成するものであり、光軸方向（図１に示すＺ軸方向）と直交する方向に沿って延在する平板状に束ねられている。これらのコイル１２０１、１２０２の外形は、上面視にて、概して長方形状を含んでおり、長辺に対応する部分が磁石１１０１、１１０２の表面（上面、下面）と同等の形状に構成されている。また、それぞれコイル１２０１、１２０２の中央部は、空芯状態となっている。なお、これらの磁石１１０１、１１０２と、コイル１２０１、１２０２とで保持体を構成する支持部材６及びレンズホルダ７を移動させる第２移動機構が構成される。
【００３４】
コイル１２０１は、一対のコイル１２０１ａ、１２０１ｂで構成される。コイル１２０１ａは、その両端が上側ＦＰＣ９の下面に半田付けされ、その下面が磁石１１０１ａの上面に対向して配置されている。一方、コイル１２０１ｂは、その両端が下側ＦＰＣ３の上面に半田付けされ、その上面が磁石１１０１ｂの下面に対向して配置されている。同様に、コイル１２０２は、一対のコイル１２０２ａ、１２０２ｂで構成される。コイル１２０２ａは、その両端が上側ＦＰＣ９の下面に半田付けされ、その下面が磁石１１０２ａの上面に対向して配置されている。一方、コイル１２０２ｂは、その両端が下側ＦＰＣ３の上面に半田付けされ、その上面が磁石１１０２ｂの下面に対向して配置される。なお、コイル１２０１ａ、１２０２ａは、上側ＦＰＣ９の下面に、コイル１２０１ｂ、１２０２ｂは、下側ＦＰＣ３の上面に、それぞれ接着剤等によって固定されている。
【００３５】
レンズホルダ７は、例えば、絶縁性の樹脂材料を成形して構成され、概して円筒形状に設けられている。レンズホルダ７の内周面には、ねじ溝が設けられており（図３参照）、図示しないレンズ体を光軸方向に調整可能に固定できる。レンズホルダ７の外周面には、レンズホルダ７の径方向外側に突出する一対の突出面部７０１、７０２が設けられている。これらの突出面部７０１、７０２は、互いに直交する方向に突出して設けられている。具体的には、突出面部７０１が図１に示すＸ軸方向に突出し、突出面部７０２が図１に示すＹ軸方向に突出して設けられている。
【００３６】
突出面部７０１には、後述するコイル１４０１ａを保持するための一対の保持片７０１ａ、７０１ｂが設けられている。これらの保持片７０１ａ、７０１ｂは、図１に示すＹ軸方向に一定距離だけ離間して配置されている。同様に、突出面部７０２には、後述するコイル１４０１ｂを保持するための一対の保持片７０２ａ、７０２ｂが設けられている。これらの保持片７０２ａ、７０２ｂは、図１に示すＸ軸方向に一定距離だけ離間して配置されている。
【００３７】
これらの突出面部７０１、７０２の外周には、ヨーク１３及び一対のコイル１４０１（１４０１ａ、１４０１ｂ）が取り付けられる。ヨーク１３は、磁性を有する金属板材に打ち抜き加工及び曲げ加工を施して形成される。ヨーク１３は、２箇所で屈曲した形状を有し、突出面部７０１、７０２の外周に沿うように配置される。ヨーク１３には、突出面部７０１、７０２の保持片７０１ａ、７０１ｂ及び保持片７０２ａ、７０２ｂを貫通させるための開口部が設けられている。これらの開口部を保持片７０１ａ、７０１ｂ及び保持片７０２ａ、７０２ｂが貫通した状態で、ヨーク１３は、レンズホルダ７の外周面に固定される。例えば、ヨーク１３は、接着剤等により固定される。
【００３８】
コイル１４０１ａ、１４０１ｂは、第１コイルを構成するものであり、光軸方向（図１に示すＺ軸方向）に沿って延在する平板状に束ねられている。これらのコイル１４０１ａ、１４０１ｂの中央部は、空芯状態となっている。ヨーク１３を介して突出する保持片７０１ａ、７０１ｂ及び保持片７０２ａ、７０２ｂは、図３に示すように、これらの空芯状態となる一部に収容される。コイル１４０１ａ、１４０１ｂは、空芯状態となる一部で保持片７０１ａ、７０１ｂ及び保持片７０２ａ、７０２ｂを収容した状態で突出面部７０１、７０２の一部に固定される。例えば、コイル１４０１ａ、１４０１ｂは、接着剤等により固定される。これらのコイル１４０１ａ、１４０１ｂの一端は、ヨーク１３の一部に接続され、他端は、支持部材６に固定された金属部材５の一部に半田付けされる（図３、図５参照）。なお、これらのコイル１４０１ａ、１４０１ｂと、ヨーク１３と、上述した磁石１１０１、１１０２とでレンズホルダ７を光軸方向に移動させる第１移動機構が構成される。また、この第１移動機構と、レンズホルダ７及び支持部材６とを含む構成部材で保持体が構成される。
【００３９】
また、突出面部７０１、７０２の外側であって、レンズホルダ７の外周面には、一対の係止片７０３、７０４が設けられている。係止片７０３は、突出面部７０１を挟んで突出面部７０２の反対側の位置に配置されている。一方、係止片７０４は、突出面部７０２を挟んで突出面部７０１の反対側の位置に配置されている。係止片７０３の先端には、保持片７０１ａ、７０１ｂと同一方向（図１に示すＸ軸方向）に突出する突出部７０３ａが設けられている。一方、係止片７０４の先端には、保持片７０２ａ、７０２ｂと同一方向（図１に示すＹ軸方向）に突出する突出部７０４ａが設けられている。
【００４０】
これらの係止片７０３、７０４は、ボール１５０１、１５０２と共に、支持部材６の収容部６０５ａ、６０５ｂに収容される。ボール１５０１、１５０２は、球形状をなした球体であり、それぞれ非磁性の金属材料で構成される。本実施の形態では、ボール１５０１、１５０２として、それぞれ複数（より具体的には、３つ）のボールを備える場合について説明するが、その数量についてはこれに限定されない。詳細について後述するように、これらのボール１５０１、１５０２は、支持部材６に押し付けられたレンズホルダ７を光軸方向（図１に示すＺ軸方向）に円滑に移動させる役割を果たす。
【００４１】
上側ケース８は、例えば、非磁性材料を機械加工して構成され、図１に示す下方側に開口した箱状に設けられている。上側ケース８は、上面視にて概して矩形状に設けられる上面部８０１と、この上面部８０１の側縁部から垂下して設けられる側面部８０２とを有する。上面部８０１の中央には、円形状の開口部８０１ａが設けられている。側面部８０２を構成する側面部８０２ａの中央には、後述する上側ＦＰＣ９の連結部９０１を収容する膨出部８０２ｂが設けられている。また、側面部８０２ａの下端部は、他の側面部８０２の下端部よりも短く設けられており、レンズ駆動装置１が組み立てられた状態において、下側ＦＰＣ３の延出部３０２を外部に露出可能に構成されている。
【００４２】
上側ＦＰＣ９は、上側ケース８の上面部８０１の下面（天井面）に固定される。例えば、上側ＦＰＣ９は、上側ケース８の天井面に両面テープや接着剤等により接着される。上側ＦＰＣ９は、上側ケース８の天井面のうち、隣接する一対の辺に対応する形状を有している。上側ケース８の側面部８０２ａに対応する上側ＦＰＣ９の側縁部に垂下して連結部９０１が設けられている。この連結部９０１の先端は、下側ＦＰＣ３のスリット３０４に挿通される。連結部９０１の表面に設けられた引き回しパターンにより、上側ＦＰＣ９の引き回しパターンと下側ＦＰＣ３の引き回しパターンとが電気的に接続される。
【００４３】
次に、本実施の形態に係るレンズ駆動装置１を組み立てた状態について説明する。図４は、本実施の形態に係るレンズ駆動装置１を組み立てた状態を上方側から示した斜視図である。図５は、図４に示すレンズ駆動装置１から上側ケース８を取り除いた場合の斜視図である。図６は、本実施の形態に係るレンズ駆動装置１を組み立てた状態を下方側から示した斜視図である。なお、図４〜図６においては、レンズホルダ７及び支持部材６が移動していない初期状態におけるレンズ駆動装置１を示している。また、説明の便宜上、図５においては、上側ＦＰＣ９を省略し、図６においては、下側ケース２、下側ＦＰＣ３及びサスペンションワイヤ４を省略している。
【００４４】
図４に示すように、レンズ駆動装置１は、組み立てられた状態において、下側ケース２と上側ケース８とで形成される内部空間に支持部材６やレンズホルダ７を含む構成部品が収容された状態となっている。図示しないレンズ体は、上側ケース８の上面部８０１に形成された開口部８０１ａを介してレンズホルダ７にねじ込むことで組み付けられ、レンズホルダ７と一体的に移動可能に構成される。また、上側ケース８の側面部８０２ａの下方側からは、下側ＦＰＣ３の延出部３０２が露出している。
【００４５】
レンズ駆動装置１の内部においては、図５に示すように、下側ケース２の上面に下側ＦＰＣ３が重ねられ、サスペンションワイヤ４により支持部材６が上側ＦＰＣ９及び下側ＦＰＣ３に固定されたコイル１２０１、１２０２から離間した状態で支持されている。この場合において、サスペンションワイヤ４０１ａ〜４０１ｄは、その下端部が下側ＦＰＣ３の下面に半田付けされ、貫通孔３０１ａ〜３０１ｄを貫通して上方側に延出している。一方、サスペンションワイヤ４０１ａ〜４０１ｄの上端部は、支持部材６の本体部６０１（側壁部６０３及び保持部６０４）の上面に熱かしめ等により固定された金属板材５０１〜５０３の上面に半田付けされている。すなわち、支持部材６は、サスペンションワイヤ４及び金属部材５を介して吊り上げられた状態となっている。
【００４６】
また、支持部材６の金属板材６０２に固定された磁石１１０１、１１０２は、これらの上面及び下面がコイル１２０１、１２０２の表面に接触することなく対向して配置されている。レンズホルダ７は、支持部材６の内側に配置されており、後述する磁石１１０１、１１０２とヨーク１３との間に作用する磁力により所定位置（支持部材６における光軸方向の中立位置）に配置されている。
【００４７】
一方、下側ＦＰＣ３の下面においては、図６に示すように、磁石１１０１ｂ、１１０２ｂの下面に対応する位置に磁気検出素子１００１ａ、１００１ｂが実装されている。これらの磁気検出素子１００１ａ、１００１ｂは、初期状態において、磁石１１０１ｂ、１１０２ｂの長手方向の中央近傍の位置に配置されている。これらの磁気検出素子１００１ａ、１００１ｂは、それぞれ支持部材６における図６に示すＸ軸、Ｙ軸方向の移動に伴う磁場の強度の変化を検出する。磁気検出素子１００１ａ、１００１ｂにより検出された信号は、下側ＦＰＣ３の引き回しパターンを介して、レンズ駆動装置１が搭載される携帯電話装置等の制御部に出力される。
【００４８】
以下、本実施の形態に係るレンズ駆動装置１の構成部材の位置関係について図７〜図９を用いて説明する。図７は、本実施の形態に係るレンズ駆動装置１が有するヨーク１３を通過する断面図である。図８は、図４に示すレンズ駆動装置１のＡ−Ａ線矢視断面図である。図９は、図４に示すレンズ駆動装置１のＢ−Ｂ線矢視断面図である。なお、図７〜図９においても、初期状態におけるレンズ駆動装置１を示している。また、図８及び図９においては、説明の便宜上、磁石１１０１、１１０２の着磁状態を示している。
【００４９】
図７に示すように、コイル１４０１ａ、１４０１ｂは、レンズホルダ７の図７に示すＸ軸、Ｙ軸方向における一方側の外周にヨーク１３を挟んで設けられている。そして、これらのコイル１４０１ａ、１４０１ｂに離間した状態でそれぞれ磁石１１０１、１１０２が対向して設けられている。また、図８、図９に示すように、磁石１１０１を介して光軸方向に離間した状態で一対のコイル１２０１ａ、１２０１ｂが対向配置されると共に、磁石１１０２を介して光軸方向に離間した状態で一対のコイル１２０２ａ、１２０２ｂが対向配置されている。
【００５０】
レンズ駆動装置１においては、レンズホルダ７を移動させる磁力を供給すると共に、支持部材６を移動させる磁力を供給する磁石１１０１、１１０２が兼用されると共に、これらの磁石１１０１、１１０２がレンズホルダ７の図７に示すＸ軸方向、Ｙ軸方向の一方側の外周に配置されることから、レンズホルダ７を挟んで一対の磁石が配置される場合のように、一対の磁石を配置するスペースを確保する必要がなく、Ｘ軸方向、Ｙ軸方向における装置本体の寸法を小型化できるものとなっている。
【００５１】
磁石１１０１、１１０２、ヨーク１３及びコイル１４０１ａ、１４０１ｂの位置関係についてより具体的に説明する。図７〜図９に示すように、コイル１４０１ａ、１４０１ｂは、それぞれ磁石１１０１、１１０２の内面と対向して配置されている。上述したように、コイル１４０１ａ、１４０１ｂは、光軸方向（図１に示すＺ軸方向）に沿って延在する平板状に束ねられており、その一面（外側の面）が磁石１１０１、１１０２と対向し、その他面（内側の面）がヨーク１３と対向した状態となっている。このようにコイル１４０１ａ、１４０１ｂを、光軸方向に沿って延在する平板状に束ねていることから、コイル１４０１ａ、１４０１ｂにおける光軸方向の直交する方向の寸法を低減できるので、光軸方向と直交する方向における装置本体の寸法の小型化が実現される。
【００５２】
ヨーク１３は、これらのコイル１４０１ａ、１４０１ｂの内側に配置されている。光軸方向（図８、図９に示すＺ軸方向）におけるヨーク１３の寸法は、コイル１４０１ａ、１４０１ｂを挟んでそれぞれ対向する磁石１１０１、１１０２の同方向の寸法よりも短く構成されている。ヨーク１３は、磁性を有する金属板材で構成されることから、磁石１１０１、１１０２からの磁力によって引き付けられる。このため、ヨーク１３が固定されたレンズホルダ７も磁石１１０１、１１０２側に引き付けられた状態となっている。この場合、レンズホルダ７は、支持部材６の保持部６０４側に引き付けられている。また、コイル１４０１ａ、１４０１ｂに通電していない初期状態において、レンズホルダ７は、磁石１１０１、１１０２とヨーク１３との間に作用する磁力により、支持部材６における光軸方向の中立位置に配置される。
【００５３】
支持部材６の収容部６０５ａには、図７に示すように、レンズホルダ７の係止片７０３及びボール１５０１が収容されている。上述したように、レンズホルダ７は、磁石１１０１、１１０２とヨーク１３との間に作用する磁力によって、支持部材６の保持部６０４側に引き付けられている。このため、ボール１５０１は、係止片７０３及び突出部７０３ａの内壁面と、これに対向する収容部６０５ａの内壁面との間に挟持される。同様に、収容部６０５ｂには、レンズホルダ７の係止片７０４及びボール１５０２が収容されている。ボール１５０２は、係止片７０４及び突出部７０４ａの内壁面と、これに対向する収容部６０５ｂの内壁面との間に挟持されている。図７に示すように、ボール１５０１、１５０２は、レンズホルダ７の中央部を挟むように、このレンズホルダ７の周方向に離間した２箇所に配設されている。また、ボール１５０１とボール１５０２の中心同士を通る平面で区画される一方の領域に磁石１１０１と磁石１１０２の双方が配置されている。これにより、ボール１５０１、１５０２は、磁石１１０１、１１０２の磁力を受けて、安定した状態でレンズホルダ７と支持部材６との間に保持されるものとなる。
【００５４】
なお、磁石１１０１、１１０２とヨーク１３との間に作用する磁力は、レンズホルダ７が光軸方向（図７に示すＺ軸方向）に移動可能な程度に設定されている。このため、ボール１５０１、１５０２は、レンズホルダ７（より具体的には、係止片７０３、７０４）の内壁面と、これに対向する収容部６０５の内壁面との間で転動可能に挟持される。すなわち、収容部６０５ａ、６０５ｂに収容されたボール１５０１、１５０２は、レンズホルダ７における光軸方向の移動を許容しながら、支持部材６とレンズホルダ７との間に保持された状態となっている。
【００５５】
支持部材６の金属板材６０２（６０２ａ、６０２ｂ）に固定された磁石１１０１、１１０２は、図８、図９に示すように、上側ＦＰＣ９、下側ＦＰＣ３に固定されたコイル１２０１、１２０２に対向して配置されている。下側ＦＰＣ３の下面に実装される磁気検出素子１００１ａは、それぞれ磁石１１０１、コイル１２０１の中央部に対応する位置に配置されている（図９参照）。同様に、下側ＦＰＣ３の下面に実装される磁気検出素子１００１ｂは、それぞれ磁石１１０２、コイル１２０２の中央部に対応する位置に配置されている（図８参照）。
【００５６】
なお、磁石１１０１、１１０２においては、レンズホルダ７の径方向に沿って異なる磁極が配置されている。また、磁石１１０１においては、上方側に配置される一方の磁石１１０１ａの磁極と、下方側に配置される他方の磁石１１０１ｂの磁極とが異なる磁極に構成されている。例えば、磁石１１０１ａの外側部分がＳ極に着磁される一方、内側部分がＮ極に着磁されている。磁石１１０１ｂの外側部分がＮ極に着磁される一方、内側部分がＳ極に着磁されている。同様に、磁石１１０２においては、上方側に配置される一方の磁石１１０２ａの磁極と、下方側に配置される他方の磁石１１０２ｂの磁極とが異なる磁極に構成されている。例えば、磁石１１０２ａの外側部分がＳ極に着磁される一方、内側部分がＮ極に着磁されている。磁石１１０２ｂの外側部分がＮ極に着磁される一方、内側部分がＳ極に着磁されている。
【００５７】
次に、本実施の形態に係るレンズ駆動装置１の動作について説明する。まず、磁石１１０１、１１０２により、レンズ駆動装置１の筐体内部に発生する磁界について説明する。レンズ駆動装置１の筐体内部においては、図８、図９に示すように、磁石１１０１、１１０２の周辺に磁界が発生している。
【００５８】
磁石１１０１、１１０２の上方側に発生する磁界においては、磁石１１０１、１１０２の内側から外側に向かって進む磁力線が発生している。一方、磁石１１０１、１１０２の下方側に発生する磁界においては、磁石１１０１、１１０２の外側から内側に向かって進む磁力線が発生している。コイル１２０１、１２０２は、これらの磁界を構成する磁力線の経路上に配置されている。また、磁気検出素子１００１ａ、１００１ｂは、磁石１１０１、１１０２の下方側に発生する磁界を構成する磁力線の経路上に配置されている。
【００５９】
また、磁石１１０１、１１０２の内側（レンズホルダ７側）に発生する磁界においては、上方側に配置される磁石１１０１ａ、１１０２ａから下方側に配置される磁石１１０１ｂ、１１０２ｂに向かって進む磁力線が発生している。一方、磁石１１０１、１１０２の外側に発生する磁界においては、下方側に配置される磁石１１０１ｂ、１１０２ｂから上方側に配置される磁石１１０１ａ、１１０２ａに向かって進む磁力線が発生している。
【００６０】
コイル１４０１ａ、１４０１ｂは、磁石１１０１、１１０２の内側に発生する磁界を構成する磁力線の経路上に配置されている。特に、磁石１１０１、１１０２の内側に発生する磁界を構成する磁力線の経路は、レンズホルダ７の外周に固定されたヨーク１３により制御される。上方側に配置される磁石１１０１ａ、１１０２ａ、下方側に配置される磁石１１０１ｂ、１１０２ｂ及びヨーク１３からなる磁気回路においては、コイル１４０１ａ、１４０１ｂと交差する磁力線が増加するように構成されている。
【００６１】
このように磁界が発生する状況下において、コイル１４０１ａ、１４０１ｂに電流が流れると、これらのコイル１４０１ａ、１４０１ｂには推力（ローレンツ力）が発生する。このように発生する推力により、レンズホルダ７は、光軸方向（図７〜図９に示すＺ軸方向）に移動する。
【００６２】
例えば、コイル１４０１ａ、１４０１ｂの上方側部分に図８、図９に示す紙面奥から手前方向（図８においてはＸ軸正方向、図９においてはＹ軸負方向）の電流を流すと、コイル１４０１ａ、１４０１ｂにはＺ軸正方向（上方向）の推力が発生する。逆に、コイル１４０１ａ、１４０１ｂの上方側部分に紙面手前から奥方向（図８においてはＸ軸負方向、図９においてはＹ軸正方向）の電流を流すと、コイル１４０１ａ、１４０１ｂにはＺ軸負方向（下方向）の推力が発生する。この場合において、磁石１１０１、１１０２は、支持部材６に固定されていることから、これらの推力に応じてレンズホルダ７が光軸方向に移動する。
【００６３】
レンズ駆動装置１においては、例えば、レンズ駆動装置１を搭載する携帯電話やデジタルカメラの制御部からの駆動指示に応じてコイル１４０１ａ、１４０１ｂに通電する電流量や向きを制御することによって推力を制御し、コイル１４０１ａ、１４０１ｂを上下移動してその位置決めを行う。これにより、コイル１４０１ａ、１４０１ｂが固定されるレンズホルダ７の位置決めを行うと共に、レンズホルダ７に組みつけられたレンズ体の位置決めを行うことが可能となる。なお、コイル１４０１ａ、１４０１ｂへの通電を停止すると、レンズホルダ７は、磁石１１０１、１１０２とヨーク１３との間に作用する磁力により中立位置（初期位置）に復帰する。
【００６４】
このようにレンズホルダ７が光軸方向に移動する際、支持部材６との間に配設されたボール１５０１、１５０２と接触した状態でレンズホルダ７が移動する。これにより、レンズホルダ７が光軸方向に移動する際の摩擦を低減できるので、レンズホルダ７を円滑に移動させることが可能となる。特に、ボール１５０１、１５０２は、上面視にて、レンズホルダ７の中央部を挟んで離間した２箇所に配設されているので、支持部材６に対して、レンズホルダ７を大きく離間した２箇所で支持することができることから、レンズホルダ７を安定して光軸方向に移動させることが可能となる。また、支持部材６は、上面視にて矩形状を有し、これらのボール１５０１、１５０２は、支持部材６の対角に対応する位置に配設されていることから、デッドスペースとなり易い支持部材６の隅部周辺を有効活用できるので、光軸方向と直交する方向における装置本体の寸法を小型化することが可能となる。
【００６５】
また、レンズ駆動装置１においては、レンズホルダ７を光軸方向に移動する移動機構を構成するコイル１４０１ａ、１４０１ｂ及びヨーク１３がレンズホルダ７に取り付けられ、同移動機構を構成する磁石１１０１、１１０２が支持部材６に取り付けられている。このため、これらの磁石１１０１、１１０２がレンズホルダ７に取り付けられる場合と比べてレンズホルダ７を軽量化でき、レンズホルダ７を円滑に移動させることが可能となる。
【００６６】
特に、レンズ駆動装置１においては、ヨーク１３が導電性を有する単一の部材で構成され、このヨーク１３がレンズホルダ７に取り付けられると共に、ヨーク１３にコイル１４０１ａ、１４０１ｂの一端が接続されている。これにより、コイル１４０１ａ、１４０１ｂに対する電力供給経路としてヨーク１３を利用できるので、簡単な構成でコイル１４０１ａ、１４０１ｂに電力供給を行うことが可能となる。
【００６７】
なお、上述のように、コイル１４０１ａ、１４０１ｂの他端は、支持部材６に固定された金属部材５に接続されている。これらのコイル１４０１ａ、１４０１ｂに対する電流は、下側ＦＰＣ３に半田付けされたサスペンションワイヤ４、金属部材５を介して供給される。このようにレンズ駆動装置１においては、これらのサスペンションワイヤ４及び金属部材５をコイル１４０１ａ、１４０１ｂに対する電力供給経路として利用するので、特別な構成を有することなく簡単な構成でコイル１４０１ａ、１４０１ｂに対して電力供給を行うことが可能となる。
【００６８】
一方、上述のように磁界が発生する状況下において、コイル１２０１、１２０２に電流が流れると、これらのコイル１２０１、１２０２には推力（ローレンツ力）が発生する。このように発生する推力により、支持部材６は、サスペンションワイヤ４の揺動に伴って図８、図９に示すＸ軸方向及びＹ軸方向に移動する。
【００６９】
例えば、コイル１２０２ａ、１２０２ｂの内側部分に図８に示すＸ軸負方向（紙面手前から奥方向）の電流を流すと、コイル１２０２ａ、１２０２ｂにはＹ軸負方向（図８に示す右方向）の推力が発生する。逆に、コイル１２０２ａ、１２０２ｂの内側部分に図８に示すＸ軸正方向（紙面奥から手前方向）の電流を流すと、コイル１２０２ａ、１２０２ｂにはＹ軸正方向（図８に示す左方向）の推力が発生する。図９に示すコイル１２０１ａ、１２０１ｂについても同様である。この場合において、コイル１２０１、１２０２は、下側ＦＰＣ３、上側ＦＰＣ９に固定されていることから、これらの推力に応じて支持部材６が光軸方向と直交する方向に移動する。
【００７０】
レンズ駆動装置１においては、例えば、レンズ駆動装置１を搭載する携帯電話やデジタルカメラの制御部からの駆動指示に応じてコイル１２０１、１２０２に通電する電流量や向きを制御することによって推力を制御し、磁石１１０１、１１０２を光軸方向と直交する方向に移動してその位置決めを行う。これにより、磁石１１０１、１１０２が固定される支持部材６の位置決めを行うと共に、この支持部材６に支持されるレンズホルダ７の位置決めを行うことが可能となる。なお、コイル１２０１、１２０２への通電を停止すると、支持部材６は、サスペンションワイヤ４の弾性力により初期位置に復帰する。
【００７１】
以上説明したように、本実施の形態に係るレンズ駆動装置１においては、レンズホルダ７を移動させる磁力を供給すると共に、支持部材６を移動させる磁力を供給する磁石１１０１、１１０２が兼用されると共に、これらの磁石１１０１、１１０２がレンズホルダ７の光軸方向と直交する方向（図８、図９に示すＸ軸方向及びＹ軸方向）の一方側の外周に配置されることから、レンズホルダ７を挟んで一対の磁石が配置される場合のように、レンズホルダ７の両側に一対の磁石を配置するスペースを確保する必要がない。これにより、光軸方向と直交する方向における装置本体の寸法を小型化することが可能となる。
【００７２】
また、レンズ駆動装置１においては、初期状態で磁石１１０１、１１０２とヨーク１３との間に作用する磁力によってレンズホルダ７が支持部材６における光軸方向の中立位置に保持される。これにより、レンズホルダ７を光軸方向の一方側（上方側）又は他方側（下方側）の限界位置まで移動させる際の移動距離を短縮できるので、レンズホルダ７を移動させる際に必要となる電流量を低減することが可能となる。
【００７３】
さらに、レンズ駆動装置１においては、初期状態で磁石１１０１、１１０２とヨーク１３との間に作用する磁力によってレンズホルダ７が支持部材６における光軸方向の中立位置に保持されることから、レンズホルダ７を中立位置に復帰するための特別な構成を必要としないので、装置本体を構成する部品点数を抑制することが可能となる。しかも、光軸方向におけるヨーク１３の寸法が磁石１１０１、１１０２の寸法より短く構成されていることから、磁石１１０１、１１０２から発生する磁界のうち、相対的に強い磁力が及ぶ範囲にヨーク１３を配置できるので、高い精度でレンズホルダ７を保持体における光軸方向の中立位置に配置することが可能となる。
【００７４】
さらに、レンズ駆動装置１において、支持部材６には、金属板材６０２が埋設されており、支持部材６を光軸方向と直交する方向に移動させるための２組の磁石１１０１、１１０２が金属板材６０２を挟んで光軸方向に並べて配設されている。これにより、支持部材６を移動させる磁力を確保でき、円滑に支持部材６を光軸方向と直交する方向に移動させることが可能となる。しかも、金属板材６０２が埋設されて支持部材６が構成されることから、支持部材６に２組の磁石１１０１、１１０２を保持するための強度を持たせると共に、支持部材６の設計の自由度を確保できる。これにより、例えば、サスペンションワイヤ４の一端が支持部材６に接続される場合においても、支持部材６の寸法が大きくなるのを回避しながら、その接続部分を形成することが可能となる。
【００７５】
なお、本発明は上記実施の形態に限定されず、さまざまに変更して実施可能である。上記実施の形態において、添付図面に図示されている大きさや形状などについては、これに限定されず、本発明の効果を発揮する範囲内で適宜変更が可能である。その他、本発明の目的の範囲を逸脱しない限りにおいて適宜変更して実施可能である。
【００７６】
例えば、上記実施の形態においては、光軸方向におけるヨーク１３の寸法が、磁石１１０１、１１０２の同方向における寸法より短く構成される場合について説明している。しかしながら、光軸方向におけるヨーク１３の寸法については、これに限定されるものではなく適宜変更が可能である。ヨーク１３がレンズホルダ７に固定された状態において、支持部材６の光軸方向における中立位置にレンズホルダ７を配置できることを前提として、任意の寸法を採用することができる。但し、支持部材６の光軸方向における中立位置に高精度にレンズホルダ７を配置する観点からは、光軸方向におけるヨーク１３の寸法を磁石１１０１、１１０２の寸法以下の寸法に構成することが好ましい。
【００７７】
また、上記実施の形態においては、ボール１５０１、１５０２を、レンズホルダ７の中央部を挟むように、支持部材６の対角に対応する位置に配設する場合について説明している。しかしながら、ボール１５０１、１５０２の配置については、これらの位置に限定されるものではなく適宜変更が可能である。例えば、これらのボール１５０１、１５０２を、支持部材６の対角とは異なる、レンズホルダ７の周方向に離間した２箇所に配設してもよい。この場合にも、支持部材６に対してレンズホルダ７をその周方向に離間した２箇所で支持できるので、安定性を確保しながらレンズホルダ７を光軸方向に移動させることが可能となる。但し、ボール１５０１、１５０２が配設される位置は、レンズホルダ７の中央部を挟むような２箇所とすることが好ましい。
【００７８】
さらに、上記実施の形態においては、ヨーク１３を単一の部材で構成し、コイル１４０１ａ、１４０１ｂに対する電力供給経路として利用する場合について説明している。しかしながら、ヨーク１３の構成及び機能については、これに限定されるものではなく適宜変更が可能である。例えば、ヨーク１３を複数の部材で構成することもできる。また、コイル１４０１ａ、１４０１ｂに対する電力供給経路として利用しない構成としてもよい。
【００７９】
同様に、上記実施の形態においては、サスペンションワイヤ４を、コイル１４０１ａ、１４０１ｂに対する電力供給経路として利用する場合について説明している。しかしながら、サスペンションワイヤ４の機能については、これに限定されるものではなく適宜変更が可能である。コイル１４０１ａ、１４０１ｂに対する電力供給経路として利用しない構成としてもよい。
【００８０】
さらに、上記実施の形態においては、支持部材６を光軸方向と直交する方向に移動させるために２対の磁石１１０１（１１０１ａ、１１０１ｂ）、１１０２（１１０２ａ、１１０２ｂ）を備える場合について説明している。しかしながら、レンズ駆動装置１に備える磁石の構成については、これに限定されるものではなく適宜変更が可能である。例えば、２対の磁石１１０１（１１０１ａ、１１０１ｂ）、１１０２（１１０２ａ、１１０２ｂ）と同様の機能を有する単一の磁石を備えるようにしてもよい。
【符号の説明】
【００８１】
１  レンズ駆動装置
２  下側ケース
３  下側ＦＰＣ（フレキシブルプリント基板）
４、４０１ａ〜４０１ｄ  サスペンションワイヤ
５  金属部材
５０１〜５０３  金属板材
６  支持部材
６０１  本体部
６０２、６０２ａ、６０２ｂ  金属板材
６０３  側壁部
６０４  保持部
６０５ａ、６０５ｂ  収容部
７  レンズホルダ
７０１、７０２  突出面部
７０１ａ、７０１ｂ、７０２ａ、７０２ｂ  保持片
７０３、７０４  係止片
７０３ａ、７０４ａ  突出部
８  上側ケース
９  上側ＦＰＣ（フレキシブルプリント基板）
１００１ａ、１００１ｂ  磁気検出素子
１１０１、１１０１ａ、１１０１ｂ  磁石
１１０２、１１０２ａ、１１０２ｂ  磁石
１２０１、１２０１ａ、１２０１ｂ  コイル
１２０２、１２０２ａ、１２０２ｂ  コイル
１３  ヨーク
１４０１、１４０１ａ、１４０１ｂ  コイル
１５０１、１５０２  ボール
【図１】
2014160195.tif 000003
【図２】
2014160195.tif 000004
【図３】
2014160195.tif 000005
【図４】
2014160195.tif 000006
【図５】
2014160195.tif 000007
【図６】
2014160195.tif 000008
【図７】
2014160195.tif 000009
【図８】
2014160195.tif 000010
【図９】
2014160195.tif 000011